(57)【特許請求の範囲】
【請求項１】
２枚の樹脂製表皮材シートと、両表皮材シートの間に挟み込まれる形態で両表皮材シート
それぞれと面接着される樹脂製芯材とを有するサンドイッチパネルにおいて、
前記２枚の樹脂製表皮材シートは、互いの周縁部同士を接合させることにより、内部に中
空部を形成し、該中空部内に前記樹脂製芯材が配置され、
前記２枚の樹脂製表皮材シートに対して対向する前記樹脂製芯材の表面の少なくとも一方
には、該表面全体に亘って張りめぐらされた溝部と、該溝部と連通する凹陥部とが設けられ、
さらに、前記２枚の樹脂製表皮材シートの少なくとも一方には、前記溝部と連通する大気開放貫通穴がその厚み方向に設けられ、
それにより、前記中空部内で前記樹脂製芯材の前記少なくとも一方の表面と対応する前記
樹脂製表皮材シートとが面接着される際、前記少なくとも一方の表面と対応する前記樹脂
製表皮材シートとの間に形成される空気溜まり内の空気が、前記溝部を介して前記凹陥部に導かれるとともに、前記大気開放貫通穴から排気されるようにしてある、ことを特徴とする樹脂製サンドイッチパ
ネル。
【請求項２】
前記凹陥部は、前記少なくとも一方の表面に、開口を形成して内方に向かって延
び、かつ対応する前記樹脂製表皮材シートにより閉じられる空隙を内部に構成し、
前記開口の面積は、前記少なくとも一方の表面と前記対応する前記樹脂製表皮材
シートとの間での面接着が十分なように設定され、
前記空隙の容積は、前記中空部内で前記樹脂製芯材の前記少なくとも一方の表面
と対応する前記樹脂製表皮材シートとが面接着される際、  前記溝部を介して前記凹陥部
に導かれる空気により、前記空隙内の内圧上昇を抑制するに十分なように設定される、請
求項１に記載の樹脂製サンドイッチパネル。
【請求項３】
前記樹脂製芯材は、中実状であり、前記凹陥部は、前記空隙が中実部に形成され
ることにより構成される、請求項２に記載の樹脂製サンドイッチパネル。
【請求項４】
前記樹脂製芯材は、一対の熱可塑性樹脂製板材により構成され、前記凹陥部は、
一対の熱可塑性樹脂製板材の一方の表面に開口を形成し、内表面側で他方の熱可塑性樹脂
製板材に向かって突出する環状リブにより構成され、前記一対の熱可塑性樹脂製板材は、
内部に中空部を形成する、請求項２に記載の樹脂製サンドイッチパネル。
【請求項５】
前記溝部は、単一の長溝が湾曲状に設けられる、請求項２に記載の樹脂製サンド
イッチパネル。
【請求項６】
前記溝部は、複数の環状溝が、入れ子状に設けられ、少なくとも隣接する溝同士
が連通する、請求項２に記載の樹脂製サンドイッチパネル。
【請求項７】
前記溝部は、格子状に設けられ、前記樹脂製芯材の長辺に平行に延びる第１溝部
群と、前記樹脂製芯材の短辺に平行に延びる第２溝部群とにより構成される、請求項２に
記載の樹脂製サンドイッチパネル。
【請求項８】
前記樹脂製芯材は、所定発泡倍率の発泡製樹脂であり、前記樹脂製芯材の前記少なくとも
一方の表面に対向する前記樹脂製表皮材シートは、前記溝部の底面に対して接合している
、請求項１に記載の樹脂製サンドイッチパネル。
【請求項９】
前記溝部は、前記樹脂製芯材の各々の表面上に設けられ、
前記凹陥部は、前記樹脂製芯材の厚み方向に貫通するように設けられる、請求項１に記載
の樹脂製サンドイッチパネル。
【請求項１０】
前記大気開放貫通穴は、前記２枚の樹脂製表皮材シートの少なくとも一方に刺し針を貫通
させることにより形成され、
前記凹陥部は、前記樹脂製芯材の前記少なくとも一方の表面において、前記大気開放貫通
穴に対応する部位に、刺し針との干渉を回避するに十分なように設けられる、請求項１に
記載の樹脂製サンドイッチパネル。
【請求項１１】
前記２枚の樹脂製表皮材シートは、互いの周縁部同士を接合させることにより、前記樹脂
製芯材のまわりに外周空間部を形成し、
前記溝部は、前記樹脂製芯材の外縁に抜けるように設けられ、それにより、前記溝部は、
前記外周空間部と連通するように構成され、
前記大気開放貫通穴は、前記２枚の樹脂製表皮材シートの少なくとも一方の前記外周空間
部に対応する位置に、刺し針を貫通させることにより形成される、請求項１に記載の樹脂
製サンドイッチパネル。
【請求項１２】
前記大気開放貫通穴は、前記２枚の樹脂製表皮材シートの少なくとも一方に刺し針を貫通
させることにより形成され、
前記樹脂製芯材の前記少なくとも一方の表面において、前記大気開放貫通穴に対応する部
位に、刺し針との干渉を回避するに十分なスペースを有する凹部が、前記溝部を介して前
記凹陥部と連通するように設けられる、請求項１に記載の樹脂製サンドイッチパネル。
【請求項１３】
前記大気開放貫通穴は、前記溝部の流路に対応する位置に設けられ、前記溝部は、前記樹
脂製芯材の前記少なくとも一方の表面と対応する前記樹脂製表皮材シートとが面接着され
ることにより消失しない永久溝として形成される、請求項１２に記載の樹脂製サンドイッ
チパネル。
【発明の詳細な説明】
【技術分野】
【０００１】
本発明は、樹脂製サンドイッチパネルに関し、より詳細には、外観上の美観性を維持しつつ、成形不良を引き起こすことなく必要な剛性を確保可能な樹脂製サンドイッチパネルに関する。
【背景技術】
【０００２】
従来から、いわゆるサンドイッチパネルが、自動車、航空機等の輸送機械用、建材用、ベッドの床板用、電気機器のハウジング用、スポーツ・レジャー用等多用途に用いられてきた。
サンドイッチパネルは、２枚の表皮材シート、両表皮材シートとの間に介在する芯材とを有し、表皮材シート、芯材および表皮材シートの積層構造が基本的形態であるが、用途に応じてサンドイッチパネルに要求される機能が変わる。
たとえば、浴室に使用される内装パネルのように、外観上の美観が重視される反面、それほどの強度が要求されない場合には、外観を呈するおもて面側表皮材シートにさらに化粧材が貼り合わせられ、化粧材の表面性状あるいは全体成形形状が重視され、構造材としての用途の場合には、外観上の美観より強度が要求される。
この点、自動車、航空機等の輸送機械の内装材部品、特に車両用のカーゴフロアボード、デッキボード、リアパーセルシェルフ等は、燃費向上の観点から軽量化が要求されるとともに強度が要求されることから、両表皮材シートおよび芯材が樹脂製である樹脂製のサンドイッチパネルが多用されてきた。
【０００３】
より詳細には、たとえば樹脂製のサンドイッチパネルを自動車のカーゴフロアリッドとして利用する場合、単に外観上の美観だけでなく、カーゴフロアリッドに重量物の荷物を載置する用途に用いられることから、荷物の重量に耐える剛性（特に曲げ剛性）が必要である反面、燃費向上の観点から軽量化が要求され、高剛性および軽量化という両立させるのが困難な技術的課題を克服することが必要である。
そのため、このような用途に向けた樹脂製のサンドイッチパネルとして、表皮材シートとしては、ヤング率の高い硬い樹脂材料を採用し、一方芯材としては、嵩（芯材の厚み）をかせいで、両表皮材シートの間隔をなるべく広げることにより断面係数を増大させつつ、芯材自体としては、軽量化を図るために、たとえば発泡材料を採用したり、あるいは内部に中空部を設けたり、あるいは表面に多数の窪みを設けたりするものが採用されている。
【０００４】
このような樹脂製のサンドイッチパネルにおいて、芯材に空隙を設けて軽量化を達成するのに、たとえば特許文献１および特許文献２に開示されているように、樹脂を発泡させて内部に無数の気泡を設ける場合がある。
特許文献１および特許文献２は、自動車用のデッキボードあるいはフロアパネル等の内装材パネル向けのサンドイッチ構造体として共通であり、特許文献１は、分割金型の間に２条の溶融状態のパリソンを位置決めし、２条の溶融状態のパリソンの間に予め成形されたポリプロピレン等の樹脂製芯材１３を配置して、真空もしくは圧空により分割金型に押圧して成形する点を開示する。
特許文献２は、上下の分割金型において、予め成形された裏面側シート素材を再加熱して軟化させたものを下型に載置し、次いで下型を通じて裏面側シート素材を真空吸引することにより賦形し、次いで裏面側シート素材の上にポリエチレン等の発泡樹脂を載置するとともに、予め成形されたおもて面側シート素材を再加熱して軟化させたものを発泡樹脂の上に載置し、次いで上下型それぞれを通じて真空吸引しながら型締めすることにより、サンドイッチ構造体を成形する点を開示する。
以上のようなサンドイッチパネルによれば、発泡による気泡の形成により、軽量化を達成することが可能である。
【０００５】
しかしながら、樹脂製芯材１３の表面と対向する熱可塑性樹脂製シートとを溶着する際、その間には、空気が存在することから、予期せぬ位置に様々な大きさの空気溜りが単一あるいは複数形成されることがあり、それに起因して、以下のような技術的問題点が存する。
【０００６】
第１に、樹脂製サンドイッチパネルとして成形不良、ひいては剛性不足が生じる点である。
より詳細には、予期せぬ空気溜まりは、樹脂製芯材１３の表面と対応する熱可塑性樹脂製シートの対向面との間に形成されることから、平面的な広がりを有するが、厚みは非常に小さいので、容積が小さい。
よって、樹脂製芯材１３を挟み込むように分割金型を型締めする際、金型内部の密閉空間は加圧されることから、樹脂製芯材１３の表面と対向する熱可塑性樹脂製シートとの間に空気溜りが存在すると、型締めによる内圧上昇を容易に生じて膨れを生じつつ、空気溜りの領域が広がり、樹脂製芯材１３の表面と対向する熱可塑性樹脂製シートとの間で剥がれを生じて、溶着剥離を生じやすく、成形不良を引き起こしたり、成形不良でないとしても、溶着不十分に起因して、樹脂製サンドイッチパネル全体の剛性低下を生じる。
第２に、樹脂製サンドイッチパネルとしての美的外観が損なわれる点である。
より詳細には、上述のように、分割金型の型締めにより空気溜りの領域が広がると、熱可塑性樹脂製シートの外表面のうち、空気溜りの領域に相当する部分が部分的に膨らみ、熱可塑性樹脂製シートの外表面の平坦性が失われ、樹脂製サンドイッチパネルとしての美的外観が損なわれる。
このような空気溜りを予めなくしたうえで、分割金型の型締めを行うのは技術的に困難である。
【０００７】
第３に、サンドイッチパネルの成形方法に起因して、良好な品質のサンドイッチパネルを得るのが困難となる点である。
より詳細には、特許文献１および特許文献２のように、発泡による気泡の形成には、一般的に化学発泡技術あるいは物理発泡技術が用いられるが、どちらの場合であっても、発泡させるからといって芯材に対する成形方法に対する制約とはならず、無発泡の芯材と同様に、押し出し成形、射出成形、ブロー成形あるいはプレス成形を利用することは可能であるが、発泡倍率の増大に伴い、特に押し出し成形あるいは射出成形の場合、発泡倍率の調整が困難となり、所望の品質を得るのが困難となる。
【特許文献１】特開２００６−３３４８０１号
【特許文献２】特開２００８−２４７００３号
【特許文献３】特開２０１０−５２３８９号
【発明の開示】
【発明が解決しようとする課題】
【０００８】
以上の技術的課題に鑑み、本発明の目的は、外観上の美観性を維持しつつ、成形不良を引き起こすことなく必要な剛性を確保可能な樹脂製サンドイッチパネルを提供することにある。
【課題を解決するための手段】
【０００９】
上記課題を達成するために、本発明の樹脂製サンドイッチパネルは、
２枚の樹脂製表皮材シートと、両表皮材シートの間に挟み込まれる形態で両表皮材シートそれぞれと面接着される樹脂製芯材とを有するサンドイッチパネルにおいて、
前記２枚の樹脂製表皮材シートは、互いの周縁部同士を接合させることにより、内部に中空部を形成し、該中空部内に前記樹脂製芯材が配置され、
前記２枚の樹脂製表皮材シートに対して対向する前記樹脂製芯材の表面の少なくとも一方には、該表面全体に亘って張りめぐらされた溝部と、該溝部と連通する凹陥部とが設けられ、
さらに、前記２枚の樹脂製表皮材シートの少なくとも一方には、大気開放貫通穴がその厚み方向に設けられ、
それにより、前記中空部内で前記樹脂製芯材の前記少なくとも一方の表面と対応する前記樹脂製表皮材シートとが面接着される際、前記少なくとも一方の表面と対応する前記樹脂製表皮材シートとの間の空気が、前記溝部を介して前記凹陥部に導かれるとともに、前記大気開放貫通穴から排気される、構成としている。
【００１０】
以上の構成を有する樹脂製サンドイッチパネルによれば、２枚の樹脂製表皮材シートに対して対向する樹脂製芯材の表面の少なくとも一方に表面全体に亘って張りめぐらされた溝部と、溝部と連通する凹陥部とが設けられることから、溝部側の樹脂製芯材の表面と、それに対向する樹脂製表皮材シートとが面接着される際、それらの間に予期せず空気溜りが形成されるとしても、空気溜り内に溜まった空気が溝部を介して凹陥部に溜められるとともに、溝部を介して大気開放穴から排気されることが可能であり、溝部が空気抜きの機能を奏し、たとえば、樹脂製サンドイッチパネルを成形する際、空気溜りが原因で成形不良を引き起こしたり、あるいは成形不良でないとしても、樹脂製芯材と樹脂製表皮材シートとの間で溶着不十分を生じて、樹脂製サンドイッチパネル全体の剛性不足を引き起こしたりする恐れがなく、あるいは空気溜りの領域が広がって部分的に膨らみ、樹脂製サンドイッチパネルとしての美的外観を損なうことなく、外観上の美観性を維持しつつ、成形不良を引き起こすことなく必要な剛性を確保可能な樹脂製サンドイッチパネルを提供することが可能である。
ここに、凹陥部とは、樹脂製芯材の表面の少なくとも一方において、対応する樹脂製表皮材シートにより閉鎖される内部スペースであり、樹脂製芯材の厚み方向に貫通してもよいし、していなくてもよい。
【００１１】
また、前記凹陥部は、前記少なくとも一方の表面に、開口を形成して内方に向かって延び、かつ対応する前記樹脂製表皮材シートにより閉じられる空隙を内部に構成し、
前記開口の面積は、前記少なくとも一方の表面と前記対応する前記樹脂製表皮材シートとの間での面接着が十分なように設定され、
前記空隙の容積は、前記中空部内で前記樹脂製芯材の前記少なくとも一方の表面と対応する前記樹脂製表皮材シートとが面接着される際、  前記溝部を介して前記凹陥部に導かれる空気により、前記空隙内の内圧上昇を抑制するに十分なように設定されるのがよい。
さらに、前記樹脂製芯材は、中実状であり、前記凹陥部は、前記空隙が中実部に形成されることにより構成されるのがよい。
【００１２】
さらにまた、前記樹脂製芯材は、一対の熱可塑性樹脂製板材により構成され、前記凹陥部は、一対の熱可塑性樹脂製板材の一方の表面に開口を形成し、内表面側で他方の熱可塑性樹脂製板材に向かって突出する環状リブにより構成され、前記一対の熱可塑性樹脂製板材は、内部に中空部を形成するのがよい。
加えて、前記溝部は、単一の長溝が湾曲状に設けられるのでもよい。
さらに、前記溝部は、複数の環状溝が、入れ子状に設けられ、少なくとも隣接する溝同士が連通するのでもよい。
さらにまた、前記溝部は、格子状に設けられ、前記樹脂製芯材の長辺に平行に延びる第１溝部群と、前記樹脂製芯材の短辺に平行に延びる第２溝部群とにより構成されるのでもよい。
【００１３】
加えて、前記樹脂製芯材は、所定発泡倍率の発泡製樹脂であり、前記樹脂製芯材の前記少なくとも一方の表面に対向する前記樹脂製表皮材シートは、前記溝部の底面に対して接合しているのでもよい。
さらに、前記溝部は、前記樹脂製芯材の各々の表面上に設けられ、
前記凹陥部は、前記樹脂製芯材の厚み方向に貫通するように設けられるのでもよい。
【００１４】
さらに、前記２枚の樹脂製表皮材シートの少なくとも一方には、前記溝部に連通する大気開放貫通穴がその厚み方向にさらに設けられるのでもよい。
また、前記大気開放貫通穴は、前記２枚の樹脂製表皮材シートの少なくとも一方に刺し針を貫通させることにより形成され、
前記凹陥部は、前記樹脂製芯材の前記少なくとも一方の表面において、前記大気開放貫通穴に対応する部位に、刺し針との干渉を回避するに十分なように設けられるのがよい。
さらにまた、前記２枚の樹脂製表皮材シートは、互いの周縁部同士を接合させることにより、前記樹脂製芯材のまわりに外周空間部を形成し、
前記溝部は、前記樹脂製芯材の外縁に抜けるように設けられ、それにより、前記溝部は、前記外周空間部と連通するように構成され、
前記大気開放貫通穴は、前記２枚の樹脂製表皮材シートの少なくとも一方の前記外周空間部に対応する位置に、刺し針を貫通させることにより形成されるのでもよい。
【００１５】
加えて、前記大気開放貫通穴は、前記２枚の樹脂製表皮材シートの少なくとも一方に刺し針を貫通させることにより形成され、
前記樹脂製芯材の前記少なくとも一方の表面において、前記大気開放貫通穴に対応する部位に、刺し針との干渉を回避するに十分なスペースを有する凹部が、前記溝部を介して前記凹陥部と連通するように設けられるのでもよい。
さらに、前記大気開放貫通穴は、前記溝部の流路に対応する位置に設けられ、前記溝部は、前記樹脂製芯材の前記少なくとも一方の表面と対応する前記樹脂製表皮材シートとが面接着されることにより消失しない永久溝として形成されるのでもよい。
【発明を実施するための最良の形態】
【００１６】
本発明に係る樹脂製サンドイッチパネルおよびこのようなサンドイッチパネルの製造方法それぞれの第１実施形態について、図面を参照しながら以下に詳細に説明する。
【００１７】
本発明に係るサンドイッチパネル１０は、自動車用、航空機用、車両・船舶用、建材用、各種電気機器のハウジング用、ベッドの床板用、スポーツ・レジャー用の撓み剛性または曲げ座屈に強い構造部材として好適に用いることができるものである。特に自動車等の構造部材として軽量化の観点から燃費向上を図ることができるものであり、具体的には、カーゴフロアボード、デッキボード、リアパーセルシェルフ、ルーフパネル、ドアトリムなどの内装パネル、その他ドアインナーパネル、プラットフォーム、ハードトップ、サンルーフ、ボンネット、バンパー、フロアスペーサー、ディビアパッドなどの構造部材として軽量化に貢献するものであり、サンドイッチパネル１０の形状は製品の目的に応じて適宜決定することができる。
【００１８】
本実施形態では、サンドイッチパネル１０として、軽量化かつ高剛性が要求される自動車のカーゴフロアリッドに用いられる場合を例として、以下に説明する。
【００１９】
図１および図２に示すように、このようなサンドイッチパネル１０は、おもて面側表皮材シート１２Ａと裏面側表皮材シート１２Ｂと、両表皮材シート１２Ａ，Ｂの間に介在する発泡性の樹脂製芯材１３と、おもて面側表皮材シート１２Ａの外表面に貼り合わされた化粧材シート１４とから構成され、サンドイッチパネル１０は、化粧材シート１４、おもて面側表皮材シート１２Ａ、樹脂製芯材１３、および裏面側表皮材シート１２Ｂの積層構造物である。
【００２０】
おもて面側表皮材シート１２Ａと裏面側表皮材シート１２Ｂとは、互いの周縁部８２同士を接合させることにより、密閉空間部８４を内部に形成し、周縁部８２と、密閉空間部８４内の樹脂製芯材１３の外周縁部８６との間には、環状スペース８８が形成される。なお、環状スペース８８は、おもて面側表皮材シート１２Ａと裏面側表皮材シート１２Ｂの材料である溶融状態の熱可塑性樹脂シートを成形する際、周縁部８２により形成されるサンドイッチパネル１０の周壁が、樹脂製芯材１３と付着して成形不良を引き起こさない観点から消極的に設けられるものである。
【００２１】
樹脂製芯材１３は、発泡剤を添加した樹脂により形成される。樹脂製芯材１３を形成する樹脂としては、エチレン、プロピレン、ブテン、イソプレンペンテン、メチルペンテン等のオレフィン類の単独重合体あるいは共重合体であるポリオレフィン（例えば、ポリプロピレン、高密度ポリエチレン）、ポリアミド、ポリスチレン、ポリ塩化ビニル、ポリアクリロニトリル、エチレン−エチルアクリレート共重合体等のアクリル誘導体、ポリカーボネート、エチレン−酢酸ビニル共重合体等の酢酸ビニル共重合体、アイオノマー、エチレン−プロピレン−ジエン類等のターポリマー、アクリロニトリル−スチレン共重合体、ＡＢＳ樹脂、ポリフェニレンオキサイド、ポリアセタール、フェノール樹脂、ポリメタクリルイミド、ポリエーテルイミド等が挙げられる。なお、これらは一種類を単独で用いても、二種類以上を混合して用いてもよい。特に、樹脂製芯材１３と表皮材シート１２とを同材質とすることにより熱溶着によって溶剤等を用いることなく接着させることができる。樹脂製芯材１３は、添加剤が含まれていてもよく、その添加剤としては、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。
【００２２】
本発明に用いられる発泡剤としては、物理発泡剤、化学発泡剤およびその混合物のいずれを用いてもよい。物理発泡剤としては、空気、炭酸ガス、窒素ガス、水等の無機系物理発泡剤、およびブタン、ペンタン、ヘキサン、ジクロロメタン、ジクロロエタン等の有機系物理発泡剤、さらにはそれらの超臨界流体を用いることができる。超臨界流体としては、二酸化炭素、窒素などを用いて作ることが好ましく、窒素であれば臨界温度１４９．１℃、臨界圧力３．４ＭＰａ以上、二酸化炭素であれば臨界温度３１℃、臨界圧力７．４ＭＰａ以上とすることにより得られる。
図２に示すように、樹脂製芯材１３の２枚の樹脂製表皮材シート１２の各々に対向する表面６９、７１上に、格子状の溝部９３が設けられる。
樹脂製芯材１３の両表面６９、７１に設けられる溝部９３は、同一な構造であるから、一方の表面６９に設けられる溝部９３についてのみ説明する。
図１に示すように、格子状の溝部９３は、樹脂製芯材１３の長辺に平行に延びる第１溝部群と、樹脂製芯材１３の短辺に平行に延びる第２溝部群とにより構成される。
より具体的には、溝部９３は、溝部９３Ａないし９３Ｇの７つが設けられ、溝部９３Ａ、Ｂは、樹脂製芯材１３の長辺に平行に、一方溝部９３ＣないしＧは、樹脂製芯材１３の短辺に平行に、それぞれ設けられる。
この場合、樹脂製表皮材シート１２と樹脂製芯材１３との間のどこに、どのような大きさの空気溜りＡがいくつ形成されるか予め予想するのが困難であることから、空気溜りＡがどこに形成されようとも、そこに溜まる空気が溝部９３を介して凹陥部８９（後に説明）に溜められるとともに、溝部９３を介して大気開放穴（後に説明）から排気されることが可能となるように、格子状の溝部９３の密度を高くして、予期せず形成される空気溜りＡに溝部９３が連通するようにしておく必要がある。
図１において、任意形状の斜線状で示す閉領域がどこにできるか不明の空気溜まりＡを示す。
隣接する溝部９３同士の間隔（格子幅）は、このような観点から定めればよい。
【００２３】
図３に示すように、溝部９３の断面形状は、扁平の台形状であり、幅Ｌ、深さＤおよび傾斜角度αは、後に説明するように、サンドイッチパネルの成形時において、分割金型を型締めする際、空気溜まりＡに溜まった空気が溝部９３を介して凹陥部８９（後に説明）に溜められるとともに、溝部９３を介して大気開放穴（後に説明）から排気されることが可能となる観点から定めればよい。
より詳細には、後に説明するように、サンドイッチパネルの成形時において、分割金型を型締めする際、溝部９３が消失しないように、永久溝として形成されるように定める。
【００２４】
表皮材シート１２は、ポリプロピレン、エンジニアリングプラスチックス、オレフィン系樹脂などから形成されたシートからなる。樹脂製芯材１３の両側に設けられる表皮材シート１２間の間隔、すなわち樹脂製芯材１３の嵩（厚み）を確保することにより、サンドイッチパネル１０全体としての剛性、特に曲げ剛性を確保する観点から、表皮材シート１２の剛性としては、少なくとも樹脂製芯材１３の剛性より高い材質が要求される。表皮材シート１２は、サンドイッチパネル１０の上面壁および下面壁を構成し、好ましくはサンドイッチパネル１０の外周において表皮材シート１２Ａと表皮材シート１２Ｂの末端をピンチオフ部によって溶着一体化して側壁を構成する。サンドイッチパネル１０の外周の側壁と樹脂製芯材１３の外周には隙間（図示せず）が形成されており、これにより成形後の表皮材シート１２と樹脂製芯材１３との熱収縮の差によってサンドイッチパネル１０の変形を防止することができる。
【００２５】
より詳細には、表皮材シート１２は、ドローダウン、ネックインなどにより肉厚のバラツキが発生することを防止する観点から溶融張力の高い樹脂材料を用いることが好ましく、一方で金型への転写性、追従性を良好とするため流動性の高い樹脂材料を用いることが好ましい。
具体的にはエチレン、プロピレン、ブテン、イソプレンペンテン、メチルペンテン等のオレフィン類の単独重合体あるいは共重合体であるポリオレフィン（例えば、ポリプロピレン、高密度ポリエチレン）であって、２３０℃におけるＭＦＲ（ＪＩＳ  Ｋ−７２１０に準じて試験温度２３０℃、試験荷重２．１６ｋｇにて測定）が３．０ｇ／１０分以下、さらに好ましくは０．３〜１．５ｇ／１０分のもの、またはアクリロニトリル・ブタジエン・スチレン共重合体、ポリスチレン、高衝撃ポリスチレン（ＨＩＰＳ樹脂）、アクリロニトリル・スチレン共重合体（ＡＳ樹脂）等の非晶性樹脂であって、２００℃におけるＭＦＲ（ＪＩＳ  Ｋ−７２１０に準じて試験温度２００℃、試験荷重２．１６ｋｇにて測定）が３．０〜６０ｇ／１０分、さらに好ましくは３０〜５０ｇ／１０分でかつ、２３０℃におけるメルトテンション（株式会社東洋精機製作所製メルトテンションテスターを用い、余熱温度２３０℃、押出速度５．７ｍｍ／分で、直径２．０９５ｍｍ、長さ８ｍｍのオリフィスからストランドを押し出し、このストランドを直径５０ｍｍのローラに巻き取り速度１００ｒｐｍで巻き取ったときの張力を示す）が５０ｍＮ以上、好ましくは１２０ｍＮ以上のものを用いて形成される。
【００２６】
また、表皮材シート１２には衝撃により割れが生じることを防止するため、水素添加スチレン系熱可塑性エラストマーが３０ｗｔ％未満、好ましくは１５ｗｔ％未満の範囲で添加されていることが好ましい。具体的には水素添加スチレン系熱可塑性エラストマーとしてスチレン−エチレン・ブチレン−スチレンブロック共重合体、スチレン−エチレン・プロピレン−スチレンブロック共重合体、水添スチレン−ブタジエンゴムおよびその混合物が好適であり、スチレン含有量が３０ｗｔ％未満、好ましくは２０ｗｔ％未満であり、２３０℃におけるＭＦＲ（ＪＩＳ  Ｋ−７２１０に準じて試験温度２３０℃、試験荷重２．１６ｋｇにて測定）は１．０〜１０ｇ／１０分、好ましくは５．０ｇ／１０分以下で、かつ１．０ｇ／１０分以上あるものがよい。
【００２７】
さらに、表皮材シート１２には樹脂製芯材１３と同様に添加剤が含まれていてもよく、その添加剤としては、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。具体的にはシリカ、マイカ、ガラス繊維等を成形樹脂に対して５０ｗｔ％以下、好ましくは３０〜４０ｗｔ％添加する。
【００２８】
表皮材シート１２の表面に化粧材シート１４を設ける場合において、化粧材シート１４とは、外観性向上、装飾性、成形品と接触する物（例えば、カーゴフロアボードの場合、ボード上面に載置される荷物など）の保護を目的として構成されるものである。化粧材シート１４の材質は、繊維表皮材シート状表皮材、フィルム状表皮材等が適用される。かかる繊維表皮材の素材としては、ポリエステル、ポリプロピレン、ポリアミド、ポリウレタン、アクリル、ビニロン等の合成繊維、アセテート、レーヨン等の半合成繊維、ビスコースレーヨン、銅アンモニアレーヨン等の再生繊維、綿、麻、羊毛、絹等の天然繊維、又はこれらのブレンド繊維が挙げられる。
【００２９】
図１および図３を参照しながら凹陥部８９について説明すれば、凹陥部８９は、溝部９３の交差部に設けられ、２つの溝部９３Ａ，Ｇと連通するように配置されている。
凹陥部８９は、樹脂製芯材１３の各表面に、開口を形成し内方に向かって厚み方向に貫通して延びる円柱状の貫通穴を形成し、対応する樹脂製表皮材シート１２により閉じられる空隙を内部に構成する。
これにより、樹脂製芯材１３のどちらの表面に空気溜まりＡが形成される場合であっても、そこから、溝部９３を介して凹陥部８９に空気を集めることが可能としてある。
開口の面積は、樹脂製芯材１３の各表面と対応する樹脂製表皮材シート１２との間での面接着が十分なように設定される。より詳細には、開口面積が大き過ぎることにより、接着面積が不足して面接着が不十分とならないようにする。
一方、空隙の容積は、中空部内で樹脂製芯材１３の各表面と対応する樹脂製表皮材シート１２とが面接着される際、溝部９３を介して凹陥部８９に導かれる空気により、空隙内の内圧上昇を抑制するに十分なように設定される。より詳細には、空隙の容積が小さ過ぎることにより、空隙内の内圧上昇が引き起こされないようにする。
この点、空隙の容積は、凹陥部８９の開口の大きさと、樹脂製芯材１３の厚みとに決定されるところ、想定される空気溜まりＡの容積に応じて、必要な空隙の容積を決め、面接着の確保の観点から定められる開口の最大許容面積に対して、樹脂製芯材１３の厚みを定めてもよいし、あるいは、サンドイッチパネル１０の仕様として樹脂製芯材１３の厚みが予め定められている場合には、それに応じて、凹陥部８９の開口の大きさを定め、それが、開口の最大許容面積を超える場合には、たとえば、凹陥部８９を複数設け、面接着の確保の観点から、互いに十分離れた位置に設けるのでもよい。
また、変形例として、溝部９３を樹脂製芯材１３の表面の一方に設けつつ、凹陥部８９を複数設ける場合には、各凹陥部８９は、樹脂製芯材の厚み方向に貫通するように設けず、溝部９３を設ける側の樹脂製芯材１３の表面に設けてもよい。その場合、中実状の樹脂製芯材１３に対して、非貫通穴を設ける場合だけでなく、樹脂製芯材１３を厚み方向に変形させることにより、他方の表面から突出する態様で一方の表面に、それぞれの凹陥部８９を設けてもよい（図４参照）。
図１および図２に示すように、表皮材シート１２Ｂの溝部９３の流路に対応する位置には、シートの厚み方向に貫通する大気開放穴９４が設けられ、溝部９３と連通する。大気開放穴９４の径は、溝部９３の幅より小さく、大気開放穴９４を設ける位置、特に、凹陥部８９との位置関係は、以下の観点から定めればよい。
すなわち、空気溜まりＡに溜まる空気を溝部９３を介して凹陥部８９に溜めるとともに、大気開放穴９４から排気する際、表皮材シート１２Ｂに大気開放穴９４を設けるタイミングとしては、後に説明する分割金型の型締による樹脂製芯材１３と表皮材シート１２Ｂとの面溶着の前後が考えられ、溶着前に、たとえば、刺し針により表皮材シート１２Ｂに大気開放穴９４を形成する場合には、溶着の際に空気溜まりＡが形成されるのを未然に防止することが可能であり、一方、溶着後に、同様な方法で大気開放穴９４を形成する場合には、溶着の際に形成される空気溜まりＡを事後的に処理することになる。
この場合、溶着前であれば、大気開放穴９４は、溝部９３と連通する限り任意の位置でよく、溶着後であれば、凹陥部８９に近い位置に設けるとよい。
【００３０】
次に、図５に示すように、サンドイッチパネル１０の成形装置６０は、押出装置６２と、押出装置６２の下方に配置された型締装置６４とを有し、押出装置６２から押出された溶融状態のパリソンＰを型締装置６４に送り、型締装置６４により溶融状態のパリソンＰを成形するようにしている。
一方、型締装置６４も、押出装置６２と同様に、従来既知のタイプであり、その詳しい説明は省略するが、２つの分割形式の金型７３と、金型７３を溶融状態のシート状パリソンＰの供給方向に対して略直交する方向に、開位置と閉位置との間で移動させ金型駆動装置とを有する。
【００３１】
２つの分割形式の金型７３は、キャビティ７４を対向させた状態で配置され、それぞれキャビティ７４が略鉛直方向を向くように配置される。それぞれのキャビティ７４の表面には、より正確には、後に説明する環状のピンチオフ部７６の内側には、溶融状態のシート状パリソンＰに基づいて成形される表皮材シート１２の外形、および表面形状に応じて凹凸部が設けられる。
【００３２】
２つの分割形式の金型７３それぞれにおいて、キャビティ７４のまわりには、ピンチオフ部７６が形成され、このピンチオフ部７６は、キャビティ７４のまわりに環状に形成され、対向する金型７３に向かって突出する。これにより、２つの分割形式の金型７３を型締する際、それぞれのピンチオフ部７６の先端部が当接し、溶融状態のパリソンＰの周縁にパーティングラインＰＬが形成されるようにしている。
【００３３】
２つの分割形式の金型７３の間には、一対の金型７３と入れ子式に、キャビティ７４と略平行に一対の枠部材７５が配置され、一対の枠部材７５はそれぞれ、開口を有し、図示しない枠部材駆動装置により一対の枠部材７５を水平方向に移動させるようにしている。これにより、一対の枠部材７５それぞれを対応する溶融状態のパリソンＰに向かって移動して、パリソンＰを保持し、その状態で逆向きに、対応する金型７３のピンチオフ部７６の先端が開口を通じてパリソンＰの表面に当接するまで移動させることが可能としている。
【００３４】
金型駆動装置については、従来と同様のものであり、その説明は省略するが、２つの分割形式の金型７３はそれぞれ、金型駆動装置により駆動され、開位置において、２つの分割金型７３の間に、２枚の溶融状態のシート状パリソンＰが、互いに間隔を隔てて配置可能なようにされ、一方閉位置において、２つの分割金型７３のピンチオフ部７６が当接し、環状のピンチオフ部７６が互いに当接することにより、２つの分割金型７３内に密閉空間が形成されるようにしている。なお、図５において、参照番号７７は、通気接触面、参照番号７８は、真空チャンバー、参照番号７９は、ブローピンである（大気開放穴形成用の刺し針と誤解されるので削除したい）。
【００３５】
次に、上述の成形装置を用いた樹脂製サンドイッチパネル１０の成形方法について説明する。
予め、樹脂製芯材１３を準備しておくとともに、化粧材１４をキャビティ７４Bに配置しておく。
なお、樹脂製芯材１３の成形方法については、従来のように、発泡ビーズを金型内に導入して加熱により融着固定させるのでもよいし、ブロー成形、真空成形、プレス成形、場合により射出成形でもよく、樹脂製芯材１３としては、各表面に溝部および溝部に連通する凹陥部８９を形成する限り、筒状パリソンによる中実タイプ、 ２条シートによる中空タイプでもよい。
なお、樹脂製芯材１３の配置タイミングは、型開き後型締めまでなら、いつでもよい。
次いで、図５に示すように、溶融状態の熱可塑性樹脂製シートP１、２を対応するダイスリットから鉛直下方に押し出して、２条の連続シート状熱可塑性樹脂製シートP１、２を対応するピンチオフ部７６からはみ出す形態で２つの分割金型７３の間に供給する。
【００３６】
次いで、分割金型７３Ａの型枠７５Ａを分割金型７３Ａに対して、熱可塑性樹脂製シートP１に向かって移動させて、熱可塑性樹脂製シートP１の側面８３に当接させる。これにより、熱可塑性樹脂製シートP１の側面８３、型枠７５Ａの内周面およびキャビティ７３Ａにより、密閉空間が形成される。
【００３７】
次いで、密閉空間内の空気を真空吸引室から吸引孔を介して吸引することにより、熱可塑性樹脂製シートP１は、キャビティ７４Ａに対して吸着し、それにより熱可塑性樹脂製シートP１は、キャビティ７４Ａの表面に沿った形状に賦形される。
【００３８】
次いで、樹脂製芯材１３を２条の熱可塑性樹脂製シートP１、２の間に両シートに平行に配置して、樹脂製芯材１３の表面を熱可塑性樹脂製シートP１の内表面に対して押し付けて、溶着固定させる。このとき、樹脂製芯材１３の反対側の表面は開放であることから、樹脂製芯材１３と熱可塑性樹脂製シートP１の内表面との間の空気を格子状の溝部９３および凹陥部８９を介して逃がすことが可能である。
次いで、熱可塑性樹脂製シートP１の溝部９３の流路に対応する位置に、たとえば、刺し針により、シートの厚み方向に大気開放穴を貫通させておく。
【００３９】
次いで、図６に示すように、熱可塑性樹脂製シートP１の外表面８３に当接する型枠７５をそのままの位置に保持した状態で熱可塑性樹脂製シートP１を吸引保持した状態で、それぞれの環状のピンチオフ部７６Ａ，Ｂ同士が当接するまで両金型７３Ａ，Ｂを互いに近づく向きに移動させ、型締する。
より詳細には、一対の分割金型７３を型締め位置まで移動して、２条の熱可塑性樹脂製シートP１，２の内表面同士を一対の金型７３のピンチオフ部７６に沿って溶着させることにより、２条の熱可塑性樹脂製シートP１，P２の周縁部同士を一体化させる。
これにより、金型７３内の内圧が高まるところ、樹脂製表皮材シートP２の内表面と樹脂製芯材１３の表面６９との間のどこかに形成される空気溜りＡ内の空気が、格子状の溝部９３を介して凹陥部８９に溜められるとともに、溝部９３を介して大気開放穴９４から排気される一方、２条の熱可塑性樹脂製シートP１，P２のそれぞれの内面に対して、樹脂製芯材１３を溶着一体化させることが可能である。その際、化粧材１４も熱可塑性樹脂製シートP２に溶着される。
なお、このような分割金型７３の型締めの際の空気抜きの効果は、樹脂製芯材１３の表面７１と樹脂製表皮材シートP１との間でも同様である。
因みに、押し出される熱可塑性樹脂製シートPは、溶融状態の筒状パリソンを押し潰してシート状に形成されてもよく、また、溶融状態の筒状パリソンを押し出して、押し出し中に少なくとも２か所において筒状パリソンを押し出し方向に沿って切り込んで、２枚のシート状に形成されるのでもよい。
【００４０】
次いで、２つの分割金型７３を型開きし、完成した樹脂製サンドイッチパネル１０をキャビティ７４から離間させ、パーティングラインＰＬまわりに形成されたバリを除去する。
以上で、樹脂製サンドイッチパネル１０の成形が完了する。
【００４１】
以上のように、溶融状態の熱可塑性樹脂を間欠的に押し出すたびに、以上のような工程を繰り返すことにより、樹脂製サンドイッチパネル１０を次々に効率的に成形することが可能であり、押出成形により間欠的に溶融状態の熱可塑性樹脂製シートP1,P2として押し出し、押し出された熱可塑性樹脂製シートP1,P2を金型７３を用いて所定の形状に賦形することが可能である。
【００４２】
以上の構成を有する樹脂製サンドイッチパネル１０によれば、２枚の樹脂製表皮材シート１２に対して対向する樹脂製芯材１３の表面の各々に表面全体に亘って張りめぐらされた溝部９３と、溝部９３と連通する凹陥部８９とが設けられることから、溝部９３側の樹脂製芯材１３の表面と、それに対向する樹脂製表皮材シート１２とが面接着される際、それらの間に予期せず空気溜りが形成されるとしても、空気溜り内に溜まった空気が溝部９３を介して凹陥部８９に溜められるとともに、溝部９３を介して大気開放穴９４から排気されることが可能であり、溝部９３が空気抜きの機能を奏し、たとえば、樹脂製サンドイッチパネル１０を成形する際、空気溜りが原因で成形不良を引き起こしたり、あるいは成形不良でないとしても、樹脂製芯材１３と樹脂製表皮材シートとの間で溶着不十分を生じて、樹脂製サンドイッチパネル１０全体の剛性不足を引き起こしたりする恐れがなく、あるいは空気溜りの領域が広がって部分的に膨らみ、樹脂製サンドイッチパネル１０としての美的外観を損なうことなく、外観上の美観性を維持しつつ、成形不良を引き起こすことなく必要な剛性を確保可能な樹脂製サンドイッチパネル１０を提供することが可能である。
【００４３】
以下に、本発明の第２実施形態について、図７を参照しながら説明する。以下の説明において、第１実施形態と同様な構成要素については、同様な参照番号を付することによりその説明は省略し、以下では、本実施形態の特徴部分について詳細に説明する。
本発明の第２実施形態ないし第４実施形態の特徴は、第１実施形態と同様に、表皮材シート１２に大気開放穴９４を溝部９３に連通するように設け、それにより、空気溜り内に溜まった空気が溝部９３を介して凹陥部８９に溜まるだけでなく、さらに、大気開放穴９４を介して空気抜きの機能を奏するようにした点では共通であるが、サンドイッチパネル１０の成形の際、表皮材シート１２を構成する溶融状態の樹脂シートに対して刺し針を厚み方向に突き通すことにより大気開放穴９４を形成するが、第２実施形態ないし第４実施形態においては、表皮材シート１２に対して大気開放穴９４を設ける位置がそれぞれ相違し、それに起因して、溝部９３の形態あるいは芯材１３の表面形態が相違する。
【００４４】
本実施形態の特徴部分は、大気開放穴９４を樹脂製表皮材シート１２に設けた点、それに応じた溝部９３の態様にある。
より詳細には、第1に、刺し針により表皮材シート１２を厚み方向に貫通させて大気開放穴９４を形成しながら、刺し針の先端が樹脂製芯材１３の表面に及ばないように、刺し針を位置決め制御するのは、技術的に困難であることから、樹脂製芯材１３の大気開放穴９４に相当する部位には、刺し針の回避スペースを設け、その際、図７に示すように、凹陥部８９を刺し針の回避スペースとして利用している。
この場合、第１実施形態と同様に、樹脂製芯材１３と対応する表皮材シート１２との面溶着の際、凹陥部８９により形成される開口の大きさは、面接着が十分なように定められる一方、凹陥部８９により形成される空隙部の容積は、溝部９３を介して導かれる空気による空隙内の内圧上昇を抑制する観点から定められる反面、大気開放穴９４に要求される開口面積は、空隙部と大気とが通気すれば十分であることから、凹陥部８９が刺し針の回避スペースとして有効に活用できるように、大気開放穴９４の開口面積を定め、それに応じて刺し針の太さを決めればよい。
第2に、特に、溝部９３の深さＤおよび傾斜角度αについて、図８に示すように、分割金型を型締めする際、溝部９３がつぶされて、さらに扁平化されて、裏面側表皮材シート１２Bが溝部９３の底面９２に対して接合し、それにより、裏面側表皮材シート１２Bと樹脂製芯材１３との十分な接合を確保するようにしている。
この場合、樹脂製芯材１３の溝部９３をつぶすことにより、溝部９３がさらに扁平化されて、樹脂製表皮材シートP２が溝部９０の底面９２に対して接合し、それにより、樹脂製表皮材シートP２と樹脂製芯材１３との十分な接合を確保することが可能であるとともに、樹脂製表皮材シートP２と樹脂製芯材１３との面溶着の際、空気溜まりＡの空気が溝部９３を介して凹陥部８９、かくして大気開放穴９４に導かれるときに、溝部９３がつぶれることにより、空気を凹陥部８９に向かって追い込む効果も期待できる。
なお、このような消失溝部９３を採用する点は、第２実施形態ないし第４実施形態、および第６実施形態において、共通である。
【００４５】
以上のような構成によれば、たとえば、図７に示すような位置に、空気溜りＡが形成される場合、空気溜りＡに格子状の溝部９３のいずれかが連通していることから、サンドイッチパネル１０の成形の際、空気溜りＡから溝部９３を介して大気開放穴９４を通じて空気抜きをすることが可能である。
より具体的には、分割金型の型締めの際、金型内の密閉空間の圧力が高まるところ、空気溜りＡに溜まった空気が大気開放穴９４から外気に抜けることが可能である。
この場合、樹脂製表皮材シート１２と樹脂製芯材１３との間のどこにどのような大きさの空気溜りＡがいくつ形成されるか予め予想するのが困難であることから、空気溜りＡがどこに形成されようとも、そこに溜まる空気を大気開放穴９４を介して抜くことが可能にするべく、表面６９上における格子状の溝部９３の密度を高くして、予期せず形成される空気溜りＡに溝部９３が連通するようにしておく必要がある点においては、第１実施形態と同様である。
なお、本実施形態のサンドイッチパネル１０の成形方法については、第１実施形態と同様である。
【００４６】
以下に、本発明の第３実施形態について、図９を参照しながら説明する。以下の説明において、第１実施形態と同様な構成要素については、同様な参照番号を付することによりその説明は省略し、以下では、本実施形態の特徴部分について詳細に説明する。
本実施形態の特徴部分は、第２実施形態とは異なり、大気開放穴９４を芯材１３の表面に相当する表皮材シート１２の部分に設けず、芯材１３と表皮材シート１２との間に形成される環状スペース８８の部位に大気開放穴９４を設け、それに応じて、溝部９３を芯材１３の外周縁部８６に抜けるように設け、環状スペース８８と連通させている点にある。
以上の構成を有する樹脂製サンドイッチパネル１０によれば、両表皮材シート１２の間に挟み込まれる形態で両表皮材シート１２それぞれと面接着される樹脂製芯材１３において、環状スペース８８はそれ自体として空気溜まりＡとなるが、樹脂製芯材１３上に形成される空気溜まりＡに比べて、樹脂製芯材１３と両表皮材シート１２との間の溶着性の問題がなく、膨れによる外観上の問題が小さい反面、樹脂製芯材１３上の空気溜まりＡに比べ容積が大であることから、 成形上の観点から消極的に形成せざるを得ない環状スペース８８を積極的に活用して、樹脂製芯材１３上に溜まった空気を排気させるものである。
【００４７】
より詳細には、２枚の樹脂製表皮材シート１２は、互いの周縁部同士を接合させることにより、樹脂製芯材１３のまわりに環状スペース８８を形成し、２枚の樹脂製表皮材シート１２に対して対向する樹脂製芯材１３の表面の少なくとも一方に、樹脂製芯材１３の外縁に抜ける格子状の溝部９３が設けられ、それにより、格子状の溝部９３が環状スペース８８と連通することから、格子状の溝部９３側の樹脂製芯材１３の表面と、それに対向する樹脂製表皮材シート１２とが面接着される際、それらの間に予期せず空気溜りが形成されるとしても、空気溜り内に溜まった空気が格子状の溝部９３を介して、凹陥部８９および環状スペース８８に分散することが可能であり、環状スペース８８はそれ自体として空気溜まりＡとなるが、樹脂製芯材１３上 の空気溜まりＡに比べて、溶着性の問題、膨れによる外観上の問題が小さい反面、樹脂製芯材１３上の空気溜まりＡに比べ容積が大であることから、格子状の溝部９３が空気抜きの機能を奏し、たとえば、樹脂製サンドイッチパネル１０を成形する際、空気溜りＡが原因で成形不良を引き起こしたり、あるいは成形不良でないとしても、樹脂製芯材１３と樹脂製表皮材シート１２との間で溶着不十分を生じて、樹脂製サンドイッチパネル１０全体の剛性不足を引き起こしたりする恐れがなく、あるいは空気溜りＡの領域が広がって部分的に膨らみ、樹脂製サンドイッチパネル１０としての美的外観を損なうことなく、外観上の美観性を維持しつつ、成形不良を引き起こすことなく必要な剛性を確保可能な樹脂製サンドイッチパネル１０を提供することが可能である。
【００４８】
以下に、本発明の第４実施形態について、図１０ないし図１１を参照しながら説明する。以下の説明において、第１実施形態と同様な構成要素については、同様な参照番号を付することによりその説明は省略し、以下では、本実施形態の特徴部分について詳細に説明する。
本実施形態の特徴部分は、大気開放穴９４を芯材１３の表面に相当する表皮材シート１２の部分に設けている点では、第２実施形態と共通であるが、第２実施形態においては、芯材１３の表面において凹陥部８９を設ける位置に合わせて、大気開放穴９４を設け、それにより、凹陥部８９自体を刺し針の回避スペースとして利用していたが、本実施形態においては、大気開放穴９４を芯材１３の表面において凹陥部８９を設ける位置とは異なる位置に設け、それにより、凹陥部８９とは別に刺し針の回避スペースを芯材１３の表面に設けた点にある。
【００４９】
より詳細には、図１０に示すように、大気開放穴９４を溝部９３の交差部に相当する表皮材シート１２の部位に設け、それに応じて、刺し針の回避スペース５０を溝部９３の交差部に設けている。
すなわち、樹脂製芯材１３において、表皮材シート１２の大気開放穴９４に対応する位置には、刺し針が接触しない程度の大きさのスペースである回避スペース５０が、樹脂製芯材１３の厚み方向に亘って設けられる。
【００５０】
図１１に示すように、より具体的には、回避スペース５０の形状は、円柱状であり、円柱の軸線は裏面側表皮材シート１２Bに対して直交するように設けられ、回避スペース５０の形状は、刺し針の形状に応じて決定すればよく、刺し針の先端が樹脂製芯材１３の表面に及ぶことにより、樹脂製芯材１３の表面に穴があき、それに起因して破損しやすくなることを未然に防止する観点から定めればよい。
なお、変形例として、溝部９３を樹脂製芯材１３の一方の表面にのみ設ける場合には、大気開放穴９４を一方の表面に対応する表皮材シート１２に設ければよいことから、回避スペース５０としては、樹脂製芯材１３の厚み方向に貫通する必要はなく、一方の表面に開口する凹部として設けるのでもよい。
【００５１】
以下に、本発明の第５実施形態について、図１２を参照しながら説明する。以下の説明において、第１実施形態と同様な構成要素については、同様な参照番号を付することによりその説明は省略し、以下では、本実施形態の特徴部分について詳細に説明する。
【００５２】
本実施形態の特徴部分は、溝部９３の形態にあり、溝部９３が永久溝である点は、第１実施形態と共通であるが、第1実施形態においては、溝部９３は、格子状であるが、本実施形態においては、単一の湾曲状長溝１００が樹脂製芯材１３の表面全体に亘る態様で蛇行状に設けられている点にある。
この場合、第１実施形態においては、凹陥部８９を溝部９３の交差部に設けていたが、本実施形態においては、溝部９３の交差部が存在しないので、凹陥部８９は、湾曲状長溝１００の途中に湾曲状長溝１００に連通するように設けている。
溝部９３は樹脂製芯材１３の表面全体に亘って設けられている限り、溝部９３の形態は種々可能であり、変形例として、図１３に示すように、複数の永久溝形態の環状溝１０１が、入れ子状に設けられ、隣接する環状溝１０１同士が連通路１０３を介して互いに連通するのでもよく、この場合、凹陥部８９は、入れ子状のいずれかの環状溝１０１の途中に設ければよい。
【００５３】
以下に、本発明の第６実施形態について、図１４および図１５を参照しながら説明する。以下の説明において、第１実施形態と同様な構成要素については、同様な参照番号を付することによりその説明は省略し、以下では、本実施形態の特徴部分について詳細に説明する。
【００５４】
本実施形態において、成形の際に樹脂製芯材１３の表面と表皮材シート１２A,Bとの間に形成される予期せぬ空気溜まりAから空気を抜くために、芯材１３の表面に凹陥部８９を設けるとともに、凹陥部８９に連通する溝部９３を設ける点では、第１実施形態と同様であるが、本実施形態の特徴部分は、凹陥部８９および溝部９３の態様にある。
図１４および図１５に示すように、凹陥部８９について、樹脂製芯材１３の厚み方向に貫通する円柱状の貫通穴であり、成形の際、表皮材シート１２Aに相当する樹脂製シートの凹陥部８９に相当する部位の外表面から樹脂製芯材１３に向かって刺し針２０２を刺して、凹陥部８９に溜まる空気を刺し針２０２を介して抜くようにするために、その径は、刺し針２０２の先端が表皮材シート１２Aの厚み方向に貫通し、凹陥部８９の厚み方向の途中に収まるように、刺し針２０２と接触しないように、少なくとも刺し針２０２の外径より大きく設定される。なお、刺し針２０２は先端に及ぶ中空部２０３を有し、成形における金型７３の型締めの際、樹脂製芯材１３と対向する樹脂製シートとが面溶着されるとともに、金型７３内の圧力が高まるところ、型締直後に刺し針２０２を刺すことにより、凹陥部８９に溜まる空気が刺し針２０２を介して排気したり、または刺した刺し針２０２を抜くことにより、凹陥部８９に連通する表皮材シート１２Aに形成される大気開放穴を介して排気することが可能である。
【００５５】
溝部９３について、一対の表皮材シート１２同士の周縁部８２と樹脂製芯材１３の周縁部８６との間に形成される環状スペース８８に連通する点は、第１実施形態と共通であるが、永久溝として形成される。
より詳細には、溝部９３は、樹脂製芯材１３の各面において、表面全体に亘って張り巡らされるように格子状であり、格子点上に凹陥部８９が設けられる。溝部９３の深さ、幅および隣接する溝部９３同士のピッチは、サンドイッチパネル製品１０の用途に応じて決定され、特に製品概観が求められる場合には、幅を狭く、深さを浅く、たとえば、幅を４ミリ以下、深さを１ミリ以下とするのがよい。
これにより、第１実施形態と異なり、金型７３の型締の際、溝部９３が消失することにより、空気を溝部９３を介して凹陥部８９に追い込む効果がない反面、溝部９３自体が永久溝として、凹陥部８９と同様に、積極的な空気溜めとして機能するようにしてある。
【００５６】
なお、図１４に示すように、凹陥部８９の各端部をさらに拡径（２０４A、２０４B）しておくことにより、刺し針２０２を刺す際に刺し針２０２の先端が凹陥部８９に接触して、樹脂製芯材１３を傷付けるリスクを低減するとともに、凹陥部８９の容積を増大して、積極的な一時的空気溜まりとしての機能を十全に果たすことが可能となるようにしている。    
また、図１４において、凹陥部８９の下端部に示すように、凹陥部８９の下端部の拡径部２０４Bに収まるように、対応する樹脂製シートに内方への出っ張り部２０５を設け、刺し針２０２を樹脂製シートの外表面を樹脂製芯材１３に向かって刺す場合の目印となるようにしている。
以上の構成によれば、成形の際、予期せぬ空気溜まりAから空気を永久溝および環状スペース８８を介して凹陥部８９に、または永久溝を介して直接凹陥部８９に逃がし、表皮材シート１２Aに相当する樹脂製シートの凹陥部８９に相当する部位の外表面から刺し針２０２を刺して、刺し針２０２を介して排気することが可能である。
【００５７】
以下に、本発明の第７実施形態について、図１６を参照しながら説明する。以下の説明において、第１実施形態と同様な構成要素については、同様な参照番号を付することによりその説明は省略し、以下では、本実施形態の特徴部分について詳細に説明する。
【００５８】
本実施形態において、成形の際に樹脂製芯材１３の表面と表皮材シート１２との間に形成される予期せぬ空気溜まりAから空気を抜くために、樹脂製芯材１３の表面に凹陥部８９を設けるとともに、凹陥部８９に連通する溝部９３を設ける点では、第１実施形態と同様であるが、本実施形態の特徴部分は、凹陥部８９および溝部９３の態様にある。
図１６に示すように、凹陥部８９について、樹脂製芯材１３の厚み方向に延びるほぼ円錐台状の非貫通穴であり、樹脂製芯材１３の周縁部８６の近傍に設けられ、成形の際、表皮材シート１２Aに相当する樹脂製シートの凹陥部８９に相当する部位の外表面から樹脂製芯材１３に向かって刺し針２０２を刺して、凹陥部８９に溜まる空気を刺し針２０２を介して抜くようにするために、その径は、刺し針２０２の先端が表皮材シート１２Aの厚み方向に貫通し、凹陥部８９の厚み方向の途中に収まるように、刺し針２０２と接触しないように、少なくとも刺し針２０２の外径より大きく設定される。なお、刺し針２０２は先端に及ぶ中空部２０３を有し、成形における金型７３の型締めの際、樹脂製芯材１３と対向する樹脂製シートとが面溶着されるとともに、金型７３内の圧力が高まるところ、型締直後に刺し針２０２を刺すことにより、凹陥部８９に溜まる空気が刺し針２０２を介して排気したり、または刺した刺し針２０２を抜くことにより、凹陥部８９に連通する表皮材シート１２Aに形成される大気開放穴を介して排気することが可能である。
【００５９】
溝部９３について、一対の表皮材シート１２同士の周縁部８２と樹脂製芯材１３の周縁部８６との間に形成される環状スペース８８に連通する点は、第１実施形態と共通であるが、永久溝として形成される。
より詳細には、溝部９３は、樹脂製芯材１３の一方の面において、樹脂製芯材１３の周縁部８６の近傍に設けられる凹陥部８９と環状スペース８８とを連通する単一溝として設けられる。溝部９３の深さおよび幅は、サンドイッチパネル製品１０の用途に応じて決定され、特に製品概観が求められる場合には、幅を狭く、深さを浅く、たとえば、幅を４ミリ以下、深さを１ミリ以下とするのがよい。
【００６０】
以上の構成によれば、成形の際、環状スペース８８を積極的な空気溜めとして活用し、環状スペース８８に溜まる空気を永久溝を介して凹陥部８９に逃がし、表皮材シート１２Aに相当する樹脂製シートの凹陥部８９に相当する部位の外表面から刺し針２０２を刺して、刺し針２０２を介して排気することが可能である。
【００６１】
以上、本発明の実施形態を詳細に説明したが、本発明の範囲から逸脱しない範囲内において、当業者であれば、種々の修正あるいは変更が可能である。
たとえば、第５実施形態においては、第１実施形態に基づいて、格子状の溝部９３を単一の湾曲状長溝あるいは複数の環状溝を入れ子状に設ける場合を説明したが、それに限定されることなく、第２実施形態ないし第４実施形態いずれに対しても、格子状の溝部９３を単一の湾曲状長溝あるいは複数の環状溝を入れ子状に設けるのでもよい。
たとえば、第３実施形態においては、格子状の溝部９３がすべて、芯材１３の外周縁まで及ぶ場合を説明したが、それに限定されることなく、環状スペース８８と空気溜まりＡとが溝部９３を介して連通するように構成されている限り、一部が芯材１３の外周縁まで及ぶのでもよい。
たとえば、本実施形態においては、押出スリットより押し出された溶融状態の熱可塑性樹脂製シートP1,P2を直接成形したが、それに限定されることなく、一方および／または他方の熱可塑性樹脂製シートP1,P2は、予め予備成形され、再加熱して溶融状態とされるのでもよい。
【図面の簡単な説明】
【００６２】
【図１】本発明の第１実施形態に係る樹脂製サンドイッチパネル１０の平面図である。
【図２】図１の線Ｂ−Ｂに沿う部分断面図である。
【図３】図１の線Ａ−Ａに沿う部分断面図である。
【図４】本発明の第１実施形態に係る樹脂製サンドイッチパネル１０の変形例の図２と同様な図である。
【図５】本発明の実施形態に係る樹脂製サンドイッチパネル１０の成形工程において、熱可塑性樹脂製シートP1,P2の間に、樹脂製芯材１３を配置している状況を示す概略部分断面図である。
【図６】本発明の実施形態に係る樹脂製サンドイッチパネル１０の成形工程において、分割金型７３を型締めした状態を示す図である。
【図７】本発明の第２実施形態に係る樹脂製サンドイッチパネル１０の平面図である。
【図８】本発明の第２実施形態に係る樹脂製サンドイッチパネル１０の溝部の図３と同様な図である。
【図９】本発明の第３実施形態に係る樹脂製サンドイッチパネル１０の平面図である。
【図１０】本発明の第４実施形態に係る樹脂製サンドイッチパネル１０の平面図である。
【図１１】図１０の線Ｃ−Ｃに沿う部分断面図である。
【図１２】本発明の第５実施形態に係る樹脂製サンドイッチパネル１０の平面図である。
【図１３】本発明の第５実施形態の変形例に係る樹脂製サンドイッチパネル１０の平面図である。
【図１４】本発明の第６実施形態の変形例に係る樹脂製サンドイッチパネル１０の平面図である。
【図１５】本発明の第６実施形態に係る樹脂製サンドイッチパネル１０の平面図である。
【図１６】本発明の第７実施形態の変形例に係る樹脂製サンドイッチパネル１０の平面図である。
【符号の説明】
【００６３】
Ａ  空気溜り
Ｐ  熱可塑性樹脂製シート
ＰＬ  パーティングライン
Ｌ  溝部９３の幅
Ｄ  溝部９３の深さ
α  溝部９３の傾斜角度
１０  樹脂製サンドイッチパネル
１２A  おもて面側表皮材シート
１２B  裏面側表皮材シート
１３  樹脂製芯材
１４  化粧材
６９  表面
４３  表面
４５  溶着面
４７  外表面
５０  回避スペース
６０  樹脂製サンドイッチパネルの成形装置
６２  押出装置
６４  型締装置
７３  金型
７４  キャビティ
７６  ピンチオフ部
８８  環状スペース
８９  凹陥部８９
９０  貫通穴
９１  縁部
９２  底面
９３  溝部９３
９４  大気開放穴
９７  内周縁
９９  貫通穴
１００  湾曲状長溝
１０１  環状溝
１０３  連通路
２０２  刺し針
２０３  中空部
２０５  拡大部
【図１】
0006489399.tif 000002
【図２】
0006489399.tif 000003
【図３】
0006489399.tif 000004
【図４】
0006489399.tif 000005
【図５】
0006489399.tif 000006
【図６】
0006489399.tif 000007
【図７】
0006489399.tif 000008
【図８】
0006489399.tif 000009
【図９】
0006489399.tif 000010
【図１０】
0006489399.tif 000011
【図１１】
0006489399.tif 000012
【図１２】
0006489399.tif 000013
【図１３】
0006489399.tif 000014
【図１４】
0006489399.tif 000015
【図１５】
0006489399.tif 000016
【図１６】
0006489399.tif 000017